(57)【要約】【課題】特別車両券を購入した乗客が，途中から空く座席を予め予約できるシステムを提供する。【解決手段】座席管理システム１では，座席２０に着席している乗客が所持しているＩＣ乗車券３から乗車区間を読み取る座席用ＲＷ１１０を有する表示装置１１が座席２０毎に設置され，座席２０を予約する乗客が所持しているＩＣ乗車券３に記憶されている乗車区間を予約乗車区間として読み取る予約用ＲＷ１２０を有し，予約できた座席２０の座席番号を乗客に表示するモニタ１２１を備えた予約表示装置１２が入り口２１に設定され，そして，座席用ＲＷ１１０がＩＣ乗車券３から読み取った乗車区間の降車駅を降車予定駅として座席２０毎に管理し，予約乗車区間の降車駅と降車予定駅それぞれと比較することで，予約する座席２０を決定し，決定した座席２０の座席番号を予約表示装置１２に表示させる座席管理装置１０が，特別車両２が設けられた列車に設置されている。【選択図】図１
2012003429.tif 000002
【特許請求の範囲】
【請求項１】
特別車両に乗車する乗客の乗車区間が少なくとも記憶されているＩＣ乗車券と，
前記特別車両の入り口に設けられ，前記ＩＣ乗車券と無線通信する予約用リーダライタを有し，前記座席の予約内容を表示するモニタを備えた予約表示装置と，
前記座席毎に設けられ，前記ＩＣ乗車券と無線通信する座席用リーダライタと，
前記座席用リーダライタが前記ＩＣ乗車券から読み取った前記乗車区間の降車駅を降車予定駅として前記座席毎に管理し，前記予約用リーダライタが前記ＩＣ乗車券から前記乗車区間を予約乗車区間として読み取ると，前記予約乗車区間の降車駅と前記降車予定駅をそれぞれ比較することで，予約する前記座席として，予約情報が設定されていない前記座席の中から，前記予約乗車区間の降車駅が前記降車予定駅の前途になる前記座席を決定し，決定した前記座席に予約されたことを示す予約情報を設定した後，決定した前記座席の座席番号と該座席の前記降車予定駅を少なくとも含む予約内容を表示する指示を前記予約表示装置に出す座席予約手段を備えた座席管理装置と，
から少なくとも構成されていることを特徴とする座席管理システム。
【請求項２】
前記座席管理装置の前記座席予約手段は，前記予約乗車区間の降車駅と前記降車予定駅の区間が最大になる前記座席を決定することを特徴とする，請求項１に記載の座席管理システム。
【請求項３】
前記座席用リーダライタを有し，着席を示す第１のインジケータを少なくとも備えた表示装置が前記座席毎に設けられ，前記座席管理装置には，前記ＩＣ乗車券から前記乗車区間を読み取った前記座席リーダライタの前記表示装置に対して，前記第１のインジケータを点灯する指示を出し，列車位置情報システムから得られる前記特別車両の走行区間が更新されると，該走行区間で到達した前記降車予定駅の設定を全て解除し，該降車予定駅が設定されていた前記座席に対応する前記表示装置に対して，前記第１のインジケータを消灯させる指示を出す着席管理手段を備えていることを特徴とする，請求項２に記載の座席管理システム。
【請求項４】
前記ＩＣ乗車券には前記乗車区間に加えて乗車券番号が記憶され，前記座席管理装置の前記座席予約手段は，前記予約用リーダライタが前記乗車区間を読み出した前記ＩＣ乗車券の前記乗車券番号を予約情報に含ませ，前記着席管理手段は， 前記ＩＣ乗車券から前記乗車区間を読み取った前記座席用リーダライタに対応する前記座席に前記予約情報が設定されているときは，該ＩＣ乗車券の乗車券番号と該予約情報に含まれる乗車券番号が一致したときのみ，前記第１のインジケータを点灯させる指示を前記表示装置に出すことを特徴とする，請求項３に記載の座席管理システム。
【請求項５】
前記表示装置には，予約を示す第２のインジケータが少なくとも備えられ，前記座席管理装置の前記着席管理手段は，前記第１のインジケータを消灯した前記座席に前記予約情報が設定されている場合，該座席に対応する前記表示装置に前記第２のインジケータを点灯させる指示を出すことを特徴とする，請求項４に記載の座席管理システム。
【請求項６】
前記表示装置には，所定のメッセージを音声で出力するためのスピーカが備えられ，前記座席管理装置の前記着席管理手段は，前記ＩＣ乗車券から読み取った前記券番号と前記座席に設定されている前記券番号が一致しないとき，前記所定のメッセージを音声で出力する指示を前記表示装置に出すことを特徴とする，請求項４に記載の座席管理システム。
【請求項７】
前記予約表示装置には，予約内容を紙媒体に出力するプリンタが備えられ，前記座席の座席番号と前記降車予定駅を少なくとも含む予約内容を前記モニタに表示する際，該予約内容を前記プリンタで出力することを特徴とする，請求項４に記載の座席管理システム。
【請求項８】
前記ＩＣ乗車券の態様は携帯端末に態様であって，前記座席管理装置の前記座席予約手段は，電子メールを送信する手段を備え，前記予約表示装置は，前記予約用リーダライタを用い，携帯端末の態様の前記ＩＣ乗車券からメールアドレスを読み出し，前記座席管理装置の前記座席予約手段は，前記表示装置の前記モニタに表示させる予約内容が記述された電子メールを前記メールアドレス宛に送信することを特徴とする，請求項４に記載の座席管理システム。
【発明の詳細な説明】
【技術分野】
【０００１】
本発明は、普通列車グリーン車の座席ように，運賃とは別途の料金がかかる車両の座席の利用状況を管理するシステムに関する。
【背景技術】
【０００２】
普通列車グリーン車ように，運賃とは別途の料金がかかる特別車両の座席の利用には特別車両券の購入が必要で，定期券が磁気カードから非接触ＩＣカードに切り替わったことを受けて，特別車両券も電子化され，定期券や乗車券として利用できるＩＣ乗車券に特別車両券を格納し利用できるようになった。
【０００３】
特別車両券を電子化することで，運賃とは別途の料金がかかる車両の巡回検札も省力化することが可能になり，例えば，特許文献１では，座席に対応して設置されたリーダライタで可搬情報処理媒体（例えば，非接触ＩＣカード）に格納された乗車券情報（例えば，特別車両券情報）を読み取って正当な乗車券か否か判定し、座席の上の表示装置の色を赤色から緑色に変更するなどして、判定結果に応じた表示を行うようにすることで，人手による車内改札をせずに正当な乗車券で座席が利用されているか否かが一目で確認でき、また、各リーダライタの情報を車上の座席管理装置に送信することにより、座席の利用状況が正確に把握できるシステムが開示されている。
【０００４】
しかしながら，東日本旅客鉄道社の普通列車グリーン車などでは、車両の座席は指定ではなく，特別車両毎の販売枚数を管理せずに特別車両券を販売しているため，特別車両券販売機で特別車両券を購入しても着席できるとは限らず，特別車両券を購入したものの着席できない乗客に対して，いち早く座れる座席を知らせることが必要になる。
【０００５】
いち早く座れる席を特別車両券の購入者に知らせるための発明としては，例えば，特許文献２において，普通列車グリーン車の座席毎に設けられたリーダライタを用い着席している乗客の非接触ＩＣカードから読み取った乗車区間から降車予定を表示することで，次に空く座席を知らせることのできるシステムが開示されている。
【先行技術文献】
【特許文献】
【０００６】
【特許文献１】特許第４１１７８８７号公報
【特許文献２】特開２００４−４４５５８号公報
【発明の概要】
【発明が解決しようとする課題】
【０００７】
確かに，特許文献２で開示されている発明を用いることで、特別車両券を購入したものの着席できない乗客に対して，いち早く座れる座席を知らせることができるようになるが，特別車両券を購入したものの着席できない乗客が多い場合，次に空く予定の座席へ乗客が殺到し、逆に不必要な混乱が生じてしまう可能性がある。
【０００８】
そこで，本発明は、この問題を解決するために、特別車両券を購入したものの着席できない乗客が，途中から空く座席を予め予約することのできるシステムを提供することを目的とする。
【課題を解決するための手段】
【０００９】
この問題の解決する第１の発明は、特別車両に乗車する乗客の乗車区間が少なくとも記憶されているＩＣ乗車券と，前記特別車両の入り口に設けられ，前記ＩＣ乗車券と無線通信する予約用リーダライタを有し，前記座席の予約内容を表示するモニタを備えた予約表示装置と，前記座席毎に設けられ，前記ＩＣ乗車券と無線通信する座席用リーダライタと，前記座席用リーダライタが前記ＩＣ乗車券から読み取った前記乗車区間の降車駅を降車予定駅として前記座席毎に管理し，前記予約用リーダライタが前記ＩＣ乗車券から前記乗車区間を予約乗車区間として読み取ると，前記予約乗車区間の降車駅と前記降車予定駅をそれぞれ比較することで，予約する前記座席として，予約情報が設定されていない前記座席の中から，前記予約乗車区間の降車駅が前記降車予定駅の前途になる前記座席を決定し，決定した前記座席に予約されたことを示す予約情報を設定した後，決定した前記座席の座席番号と該座席の前記降車予定駅を少なくとも含む予約内容を表示する指示を前記予約表示装置に出す座席予約手段を備えた座席管理装置と，から少なくとも構成されていることを特徴とする座席管理システムである。
【００１０】
第１の発明に記載の座席管理システムにおいて，前記座席管理装置の前記座席予約手段は，前記予約乗車区間の降車駅と前記降車予定駅の区間が最大になる前記座席を決定することが望ましい。
【００１１】
また，前記座席用リーダライタを有し，着席を示す第１のインジケータを少なくとも備えた表示装置が前記座席毎に設けられ，前記座席管理装置に，前記ＩＣ乗車券から前記乗車区間を読み取った前記座席リーダライタの前記表示装置に対して，前記第１のインジケータを点灯する指示を出し，列車位置情報システムから得られる前記特別車両の走行区間が更新されると，該走行区間で到達した前記降車予定駅の設定を全て解除し，該降車予定駅が設定されていた前記座席に対応する前記表示装置に対して，前記第１のインジケータを消灯させる指示を出す着席管理手段を備えさせると，乗客が着席している座席を乗客が一目でわかるようになる。
【００１２】
更に，前記ＩＣ乗車券には前記乗車区間に加えて乗車券番号が記憶され，前記座席管理装置の前記座席予約手段は，前記予約用リーダライタが前記乗車区間を読み出した前記ＩＣ乗車券の前記乗車券番号を予約情報に含ませ，前記着席管理手段は， 前記ＩＣ乗車券から前記乗車区間を読み取った前記座席用リーダライタに対応する前記座席に前記予約情報が設定されているときは，該ＩＣ乗車券の乗車券番号と該予約情報に含まれる乗車券番号が一致したときのみ，前記第１のインジケータを点灯させる指示を前記表示装置に出すようにすると，予約した以外の乗客が予約された前記座席に着席することを防止できる。
【００１３】
更に，予約を示す第２のインジケータが少なくとも備えられ，前記座席管理装置の前記着席管理手段は，前記第１のインジケータを消灯した前記座席に前記予約情報が設定されている場合，該座席に対応する前記表示装置に前記第２のインジケータを点灯させる指示を出すようにすると，空いた前記座席が予約されていることを乗客はわかるようになる。
【００１４】
更に，前記表示装置には，所定のメッセージを音声で出力するためのスピーカが備えられ，前記座席管理装置の前記着席管理手段は，前記ＩＣ乗車券から読み取った前記券番号と前記座席に設定されている前記券番号が一致しないとき，前記所定のメッセージを音声で出力する指示を前記表示装置に出すようにすると，予約されている座席に間違って着席したこと通知できる。
【００１５】
更に，前記予約表示装置には，予約内容を紙媒体に出力するプリンタが備えられ，前記座席の座席番号と前記降車予定駅を少なくとも含む予約内容を前記モニタに表示する際，該予約内容を前記プリンタで出力するようにすると，座席を予約した乗客は，予約内容を覚える必要はなくなる。
【００１６】
更に，前記ＩＣ乗車券の態様は携帯端末に態様の場合，前記座席管理装置の前記座席予約手段は，電子メールを送信する手段を備えさせ，前記予約表示装置は，前記予約用リーダライタを用い，携帯端末の態様の前記ＩＣ乗車券からメールアドレスを読み出し，前記座席管理装置の前記座席予約手段は，前記表示装置の前記モニタに表示させる予約内容が記述された電子メールを前記メールアドレス宛に送信するようにすることもできる。
【発明の効果】
【００１７】
上述した本発明によれば、この問題を解決するために、特別車両券を購入したものの着席できない乗客が，途中から空く座席を予め予約することのできるシステムを提供できる。
【図面の簡単な説明】
【００１８】
【図１】本実施形態にかかる座席管理システム１を説明する図。
【図２】ＩＣ乗車券を説明する図。
【図３】表示装置を説明する図。
【図４】予約表示装置を説明する図。
【図５】座席管理装置のブロック図。
【図６】座席管理装置の予約管理手段が実行する処理を説明するフロー図。
【図７】座席番号に関連付けて記憶されている降車予定駅の一例を説明する図。
【図８】座席管理装置の着席管理手段が実行する処理を説明する第１のフロー図。
【図９】座席管理装置の着席管理手段が実行する処理を説明する第２のフロー図。
【発明を実施するための形態】
【００１９】
ここから，本願発明の実施形態について，本願発明の技術分野に係わる当業者が，本願発明の内容を理解し，本願発明を実施できる程度に説明する。
【００２０】
図１は，本実施形態にかかる座席管理システム１を説明する図である。本実施形態にかかる座席管理システム１は，東日本旅客鉄道社の東北線や高崎線のグリーン車のように，運賃とは別途の料金がかかる特別車両２の座席２０の利用を管理するためのシステムである。
【００２１】
特別車両２の座席２０を管理するために，特別車両２の座席２０に着席している乗客の降車予定を座席２０上に表示することは従来から発案されているが，着席できない乗客が多い場合，次に空く予定の座席２０へ乗客が殺到し車内トラブルが発生してしまう可能性があるため，本実施形態の座席管理システム１では，特別車両２に乗車する乗客に，乗車区間が記憶されたＩＣ乗車券３を所持させ，ＩＣ乗車券３に記憶された乗車区間を利用して，座席２０が満席の場合，座席２０に着席できなかった乗客が，途中から空く座席２０を予め予約できるようにしている。
【００２２】
途中から空く座席２０を予め予約できるようするためには，座席２０に着席している乗客の降車駅と，座席２０を予約する乗客の降車駅を比較することで，座席２０を予約する乗客が降車する前に途中から空く座席２０を特定し，座席２０を予約する乗客に対し特定した座席２０を通知することが少なくとも必要になり，図１で図示した座席管理システム１では，座席２０に着席している乗客が所持しているＩＣ乗車券３から乗車区間を読み取る座席用リーダライタ１１０（以下，リーダライタを「ＲＷ」と略す）が座席２０毎に設置され，座席２０を予約する乗客が所持しているＩＣ乗車券３に記憶されている乗車区間を予約乗車区間として読み取る予約用ＲＷ１２０を有し，予約できた座席２０を乗客に表示するモニタ１２１を備えた予約表示装置１２が特別車両２の入り口２１に設定され，そして，座席用ＲＷ１１０がＩＣ乗車券３から読み取った乗車区間の降車駅を降車予定駅として座席２０毎に管理し，予約乗車区間の降車駅と降車予定駅それぞれと比較することで，予約する座席２０を決定し，決定した座席２０の内容を予約表示装置１２に表示させる座席管理装置１０が，特別車両２が設けられた列車に設置されている。
【００２３】
また，図１で図示した座席管理システム１では，着席している座席２０を乗客に通知するために，座席用ＲＷ１１０を有し，着席を示す第１のインジケータ１１１を少なくとも有する表示装置１１が座席２０毎に備えられ，座席管理装置１０は，列車位置情報システム４から得られる特別車両２の走行区間を参照し，乗客が着席している座席２０の表示装置１１に備えられた第１のインジケータ１１１を点灯／消灯させる処理を行う。
【００２４】
加えて，本実施形態では，座席管理装置１０は，座席２０が予約されている場合，予約する際に利用されたＩＣ乗車券３が座席用ＲＷ１１０にかざれた場合のみ，第１のインジケータ１１１を点灯させることで，予約していない乗客が予約済みの座席２０に着席できないようにしている。
【００２５】
ここから，図1で図示した座席管理システム１について詳細に説明する。図２は，特別車両２を利用する乗客が所持するＩＣ乗車券３を説明する図である。図２に図示したように，ＩＣ乗車券３には，アンテナコイル３０と非接触通信用のＩＣチップ３１が実装され，ＩＣ乗車券３の形態は，Ｓｕｉｃａ（登録商標）のように非接触ＩＣカードの形態であってもよく，また，モバイルＳｕｉｃａ（登録商標）のように携帯電話やスマートフォンの形態にすることもできる。
【００２６】
ＩＣ乗車券３に実装されたＩＣチップ３１のメモリには，切符や定期券などが電子化され，乗客の乗車区間が記述された乗車券情報と，特別車両２を利用するときに必要となる特別車両２券が電子化された特別車両２券情報に加え，ＩＣ乗車券３を識別するための乗車券番号が記憶される。
【００２７】
なお，ＩＣ乗車券３を識別するための乗車券番号は，乗車券情報に割り振られた番号であってもよく，また，ＩＣ乗車券３に実装されたＩＣチップ毎に固有のデータを利用することもできる。
【００２８】
図３は，着席を示す第１のインジケータ１１１が少なくも設けられた表示装置１１を説明する図である。特別車両２の各座席２０に設けられる表示装置１１の形態は任意で，一つ以上のインジケータを表示装置１１に備えさせることもできる。
【００２９】
図３で図示した表示装置１１には，着席を示す第１のインジケータ１１１（例えば，緑色のＬＥＤ）に加え、空席を示す第２のインジケータ１１２（例えば，赤色のＬＥＤ）、及び，次駅で乗客が降りることを示す第３のインジケータ１１３（例えば，黄色のＬＥＤ）の３つのインジケータと座席用ＲＷ１１０を備え，座席管理装置１０からの指示に従いインジケータを点灯／消灯若しくは点滅させる装置で，本実施形態では，次駅で乗客が降りる座席２０が予約されている場合，第３のインジケータ１１３を点滅させることで，次駅で乗客が降りる座席２０が予約されていることが示される。
【００３０】
また，図３では，予約済みの席を単なる空席と間違えて，予約していない乗客が利用したときに，音声によって予約済みであることを通知するためのスピーカ１１４を表示装置１１に備えさせている。
【００３１】
図４は，予約できた座席２０の座席番号などの予約内容表示する予約表示装置１２を説明する図である。特別車両２の入り口に設けられる予約表示装置１２の形態は任意であるが，予約できた座席２０の座席番号などの予約内容を乗客に通知するために，これらの情報を少なくとも表示するモニタ１２１が予約表示装置１２には必要で，予約内容を表示する予約表示装置１２を設け，予約できた座席２０の座席番号などの予約内容を乗客に通知することで，乗客が予約した座席２０を間違えて着席することを防止できる。
【００３２】
図４で図示したように，本実施形態の予約表示装置１２は，予約する乗客が所持するＩＣ乗車券３から乗車区間を読み取る予約用ＲＷ１２０と，予約できた座席２０の座席番号などの予約内容を表示するモニタ１２１に加え，特別車両２の座席２０の着席状況を表示するモニタ１２２を備えている。
【００３３】
また，予約できた座席２０の座席番号などの予約内容の記憶違いを無くすために，図４で図示したように，予約内容を出力する手段として，予約できた座席２０の座席番号などの予約内容を紙媒体に印刷するプリンタ１２３を予約表示装置１２に設けると，乗客は予約内容を紙媒体で受け取ることができる。
【００３４】
また、予約内容を出力する手段はプリンタ１２３に限定されることはなく，ＩＣ乗車券３がモバイルＳｕｉｃａ（登録商標）のような携帯端末の形態である場合、モバイルＳｕｉｃａ（登録商標）の機能を利用して，予約用ＲＷ１２０が，携帯端末の形態のＩＣ乗車券３からメールアドレスを読み取り，予約できた座席２０の座席番号などの予約内容が記述された電子メールを座席管理装置１０からこのメールアドレスへ送信するようにすると，乗客は予約内容を電子メールで受け取ることができる。
【００３５】
図５は，座席管理装置１０のブロック図である。座席管理装置１０は，ＣＰＵ，ＲＡＭ，データ記憶装置やネットワークインターフェースを備えた汎用のサーバを利用して実現される装置で，座席管理装置１０のデータ記憶装置には，座席用ＲＷ１１０がＩＣ乗車券３から読み取った乗車区間の降車駅が降車予定駅として座席番号に関連付けて記憶され，コンピュータプログラムなどで実現される機能として，座席２０の予約にかかる処理を行う予約管理手段１００と，乗客の着席にかかる処理を行う着席管理手段１０１が備えられている。
【００３６】
座席管理装置１０の予約管理手段１００は，予約乗車区間の降車駅と降車予定駅それぞれと比較することで，予約する座席２０を決定し，決定した座席２０の内容を予約表示装置１２に表示させる処理を行う手段である。
【００３７】
図６は， 座席管理装置１０の予約管理手段１００が実行する処理を説明するフロー図で，座席管理装置１０の予約管理手段１００は，予約用ＲＷ１２０から座席２０の予約要求を受けたときに図６の手順を実行する。
【００３８】
特別車両２の入り口に設けられた予約用ＲＷ１２０はＩＣ乗車券３を検知するポーリングコマンドを一定間隔で送信し，ＩＣ乗車券３を所持している乗客が，特別車両２の座席２０の予約を行うときに，特別車両２の入り口に設けられた予約用ＲＷ１２０にＩＣ乗車券３をかざすと，予約用ＲＷ１２０は，かざされたＩＣ乗車券３を検知し，検知したＩＣ乗車券３から予約乗車区間と乗車券番号を読み取る動作を行う（Ｓ１）。
【００３９】
予約用ＲＷ１２０が，ＩＣ乗車券３から予約乗車区間と乗車券番号を読み取ると，予約表示装置１２は，ＩＣ乗車券３から読み取った予約乗車区間と乗車券番号を含む予約要求を座席管理装置１０へ送信する（Ｓ２）。
【００４０】
座席管理装置１０の予約管理手段１００は，予約表示装置１２から予約要求を受信すると，予約要求に含まれる予約乗車区間の降車駅と各座席番号に関連付けられた降車予定駅をそれぞれ比較し（Ｓ３），予約情報が設定されていない座席番号に関連付けられ，予約乗車区間の降車駅が前途になる降車予定駅の中から，予約乗車区間の降車駅と降車予定駅の区間が最大になる降車予定駅を特定し，特定した降車予定駅が関連付けられた座席番号に対応する座席２０を予約する座席２０として決定する（Ｓ４）。
【００４１】
座席管理装置１０の予約管理手段１００は，予約する座席２０として決定すると，この座席２０の座席番号に関連付けて，予約するときに利用されたＩＣ乗車券３の乗車券番号を少なくとも含む予約情報を記憶することで（Ｓ５），予約した座席２０に予約情報を設定した後，予約した座席２０の座席番号と該座席２０の降車予定駅を少なくとも含む予約内容を表示する指示を予約表示装置１２に出して（Ｓ６），この手順を終了する。
【００４２】
図７は，特別車両２の座席２０毎に，座席番号に関連付けて記憶されている降車予定駅の一例を説明する図である。なお，図７では，特別車両２の座席番号は，車両番号と座番号（ここでは，横一列４席でＡＢＣＤ）の組合せで表記される。
【００４３】
図７では，座席番号が「８号車１番Ａ」から「８号車１番Ｄ」までの４つの座席２０に着席している乗車区間を例示している。図７では，特別車両２の運行区間の開始駅は上野駅で終了駅は高崎駅で，座席番号が「８号車１番Ａ」の座席２０に着席している乗客の乗車区間は上野駅から大宮駅で，降車予定駅として，大宮駅が「８号車１番Ａ」に関連付けて記憶される。
【００４４】
同様に，「８号車１番Ｂ」である座席番号には上尾駅が，「８号車１番Ｃ」である座席番号には吹上駅が，そして，「８号車１番Ｄ」である座席番号には深谷駅が，それぞれ降車予定駅として関連付けられて記憶される。
【００４５】
例えば，予約用ＲＷ１２０から受信した予約要求に含まれる予約乗車区間が赤羽駅から籠原駅の場合，降車予定駅（大宮駅，上尾駅，吹上駅及び深谷駅の４つ）から予約乗車区間の降車駅（ここでは，籠原駅）までの区間が最も長くなる降車予定駅は大宮駅になるため，予約する座席２０の座席番号は「８号車１番Ａ」になり，「８号車１番Ａ」である座席番号に予約情報が関連付けられることになる。
【００４６】
座席管理装置１０の着席管理手段１０１は，乗客の着席にかかる処理を行う手段で，列車位置情報システムから得られる特別車両２の走行区間を参照し，乗客が着席している座席２０の表示装置１１に備えられた第１のインジケータ１１１を点灯／消灯させる処理を行い，座席２０が予約されている場合，予約する際に利用されたＩＣ乗車券３が座席用ＲＷ１１０にかざれた場合のみ，第１のインジケータ１１１を点灯させる処理を実行する手段である。
【００４７】
なお，列車位置情報システム４についての詳細は説明しないが，特許文献１に記載があるように，列車位置情報システム４は特別車両２の走行区間を管理するシステムで、特別車両２が設けられた列車が運行される路線の始発駅／ 終着駅等の運行情報を保持し、車輪の回転や扉の開閉などからこの列車が走行している走行区間を更新しているシステムである。
【００４８】
図８は，座席管理装置１０の着席管理手段１０１が実行する処理を説明する第１のフロー図で，座席用ＲＷ１１０から乗車区間を受信したときに実行する処理である。
【００４９】
特別車両２の座席２０毎に設けられた表示装置１１の座席用ＲＷ１１０はＩＣ乗車券３を検知するポーリングコマンドを一定間隔で送信し，座席２０に着席する乗客が，特別車両２の座席２０に着席する前に，該座席２０に対応する座席用ＲＷ１１０にＩＣ乗車券３をかざすと，座席用ＲＷ１１０は，かざされたＩＣ乗車券３を検知し，検知したＩＣ乗車券３から乗車区間と乗車券番号を読み取る動作を行う（Ｓ１０）。
【００５０】
座席用ＲＷ１１０は，ＩＣ乗車券３から乗車区間と乗車券番号を読み取ると，表示装置１１が設置されている特別車両２の座席２０の座席番号と共に，ＩＣ乗車券３から読み取った乗車区間と乗車券番号を座席管理装置１０へ送信する（Ｓ１１）。
【００５１】
座席管理装置１０の着席管理手段１０１は，表示装置１１から座席番号，乗車区間及び乗車券番号を受信すると，この座席番号に関連付けて予約情報が記憶されているか確認し，確認結果によって処理を分岐させる（Ｓ１２）。
【００５２】
この座席番号に関連付けて予約情報が記憶されていない場合，座席管理装置１０の着席管理手段１０１は，Ｓ１４に進み，乗車区間を送信した表示装置１１に対して，第１のインジケータ１１１を点灯する指示を出した後（Ｓ１４），この表示装置１１から受信した乗車区間の降車駅を示すデータを降車予定駅として座席番号に関連付けて記憶し（Ｓ１５），この手順を終了する。
【００５３】
また，この座席番号に関連付けて予約情報が記憶されている場合，座席管理装置１０の着席管理手段１０１は，この座席番号に関連付けて予約情報に含まれる乗車券番号と，表示装置１１から受信した乗車券番号が一致するか確認し（Ｓ１３），確認結果によって処理を分岐させる。
【００５４】
乗車券番号が一致した場合，座席管理装置１０の着席管理手段１０１は，乗車区間を送信した表示装置１１に対して，第１のインジケータ１１１を点灯する指示を出した後（Ｓ１４），この表示装置１１から受信した乗車区間の降車駅を示すデータを降車予定駅として座席番号に関連付けて記憶し（Ｓ１５），この手順を終了する。
【００５５】
また，乗車券番号が一致しない場合，座席管理装置１０の着席管理手段１０１は，乗車区間を送信した表示装置１１に対して，座席２０が予約されていることを音声で通知する指示を出し（Ｓ１６），降車予定駅を記憶することなく，この手順を終了する。
【００５６】
図９は，座席管理装置１０の着席管理手段１０１が実行する処理を説明する第２のフロー図で，座席管理装置１０の着席管理手段１０１は，列車位置情報システムから得られる特別車両２の走行区間が更新される毎に，図９で図示した処理を実行する。
【００５７】
列車位置情報システムから得られる特別車両２の走行区間が更新されると，座席管理装置１０の着席管理手段１０１は，停車した駅が降車予定駅として関連付けられている座席番号を検索し（Ｓ２０），検索した座席番号毎にループ処理Ｌ１を実行する。
【００５８】
ループ処理Ｌ１において，座席管理装置１０の着席管理手段１０１は，ループ処理Ｌ１の対象となる座席番号に対応する表示装置１１に対して，着席を示す第１のインジケータ１１１と，次駅で乗客が降りることを示す第３のインジケータ１１３を消灯し，空席を示す第２のインジケータ１１２を点灯させる指示を出す（Ｓ２１）。
【００５９】
ループ処理Ｌ１を実行すると，座席管理装置１０の着席管理手段１０１は，次に停車する駅が降車予定駅として関連付けられている座席番号を検索し（Ｓ２２），検索した座席番号毎にループ処理Ｌ２を実行し，ループ処理Ｌ２が終了すると，この手順を終了する。
【００６０】
ループ処理Ｌ２において，座席管理装置１０の着席管理手段１０１は，ループ処理Ｌ２の対象となる座席番号に予約情報が関連付けられているか確認し（Ｓ２３），この座席番号に予約情報が関連付けられている場合は，次駅で乗客が降りることを示す第３のインジケータ１１３を点滅させる指示を，この座席番号に対応する表示装置１１に出す（Ｓ２４）。
【００６１】
また，ループ処理Ｌ２の対象となる座席番号に予約情報が関連付けられていない場合，座席管理装置１０の着席管理手段１０１は，次駅で乗客が降りることを示す第３のインジケータ１１３を点灯させる指示を表示装置１１に出す（Ｓ２５）。
【符号の説明】
【００６２】
１    座席管理システム
１０  座席管理装置
１００  予約管理手段
１０１  着席管理手段
１１  表示装置
１１０  座席用リーダライタ
１１１  第１のインジケータ
１１２  第２のインジケータ
１１３  第３のインジケータ
１１４  スピーカ
１２  予約表示装置
１２０  予約用リーダライタ
１２１  予約内容を表示するモニタ
１２２  着席状況を表示するモニタ
１２３  プリンタ
２  特別車両
２０  座席
２１  入り口
３  ＩＣ乗車券
３０  アンテナコイル
３１  ＩＣチップ
４  列車位置情報システム
【図１】
2012003429.tif 000003
【図２】
2012003429.tif 000004
【図３】
2012003429.tif 000005
【図４】
2012003429.tif 000006
【図５】
2012003429.tif 000007
【図６】
2012003429.tif 000008
【図７】
2012003429.tif 000009
【図８】
2012003429.tif 000010
【図９】
2012003429.tif 000011